(57)【特許請求の範囲】
【請求項１】
監視領域で発生した異常を検出して警報を行う警報器であって、
前記監視領域で想定される複数の照明状態ごとに定められた検出処理内容と、当該複数の照明状態ごとに定められた警報処理内容を記憶する記憶手段と、
前記監視領域における照明状態が前記複数の照明状態のうちのいずれであるかを判別する照明状態判別手段と、
前記記憶手段に記憶された検出処理内容のうち、前記照明状態判別手段によって判別された照明状態に応じた検出処理内容を実行する検出処理手段と、
前記記憶手段に記憶された警報処理内容のうち、前記照明状態判別手段によって判別された照明状態に応じた警報処理内容を実行する警報処理手段と、
前記警報処理手段からの警報処理内容としての指令に基づいて、前記照明状態判別手段によって判別された照明状態に応じた照明器具の照明制御を行う照明制御手段と、
前記監視領域における火災の発生を周囲の煙濃度に基づいて検出する検出手段と、を備え、
前記記憶手段は、前記監視領域における照明状態ごとに所定の蓄積時間を記憶し、
前記検出処理手段は、前記記憶手段に記憶された蓄積時間の中から前記照明状態判別手段によって判別された照明状態に応じた蓄積時間を取得し、当該取得した蓄積時間にわたって前記検出手段にて検出された煙濃度が所定濃度以上に達したか否かを判定し、前記記憶手段に記憶された検出処理内容のうち、当該検出処理手段によって判定された判定結果に応じた検出処理内容を実行すること、
を特徴とする警報器。
【請求項２】
さらに、前記検出手段は、前記監視領域における火災の発生を周囲の温度又は周囲の温度上昇率に基づいて検出し、
前記記憶手段は、前記監視領域における照明状態ごとに所定の閾値温度又は所定の温度上昇率を記憶し、
前記検出処理手段が、
前記記憶手段に記憶された蓄積時間の中から、前記照明状態判別手段によって判別された照明状態に応じた蓄積時間を取得し、当該取得した蓄積時間にわたって前記検出手段にて検出された煙濃度が所定濃度以上に達したか否かを判定し、前記記憶手段に記憶された検出処理内容のうち、当該検出処理手段によって判定された判定結果に応じた検出処理内容を実行するのか、
前記記憶手段に記憶された前記閾値温度の中から、前記照明状態判別手段によって判別された照明状態に応じた閾値温度を取得し、当該取得した閾値温度以上に前記検出手段にて検出された周囲の温度が達したか否かを判定し、前記記憶手段に記憶された検出処理内容のうち、当該検出処理手段によって判定された判定結果に応じた検出処理内容を実行するのか、
又は、前記記憶手段に記憶された温度上昇率の中から、前記照明状態判別手段によって判別された照明状態に応じた温度上昇率を取得し、当該取得した温度上昇率以上に前記検出手段にて検出された周囲の温度上昇率が達したか否かを判定し、前記記憶手段に記憶された検出処理内容のうち、当該検出処理手段によって判定された判定結果に応じた検出処理内容を実行するのかを、
利用者が選択可能であることを特徴とする請求項１に記載の警報器。
【請求項３】
監視領域で発生した異常を検出して警報を行う警報器であって、
前記監視領域で想定される複数の照明状態ごとに定められた警報処理内容を記憶する記憶手段と、
前記監視領域における照明状態が前記複数の照明状態のうちのいずれであるかを判別する照明状態判別手段と、
前記記憶手段に記憶された警報処理内容のうち、前記照明状態判別手段によって判別された照明状態に応じた警報処理内容を実行する警報処理手段と、
警報音によって火災検出状態を周囲に報知するスピーカと、
前記スピーカの警報音の出力を制御する音声出力部と、を備え、
前記警報処理手段は、当該警報器が警報状態にある場合の警報処理内容として、相互に異なる複数の音量の中から前記照明状態判別手段によって判別された照明状態に応じた音量で警報音を前記スピーカから出力させるように、前記音声出力部を制御することを特徴とする警報器。
【請求項４】
前記警報処理手段は、当該警報器が待機状態にある場合の警報処理内容として、相互に異なる複数の警報処理内容の中から前記照明状態判別手段によって判別された照明状態に応じた警報処理内容を実行することを特徴とする請求項１から３のいずれか一項に記載の警報器。
【請求項５】
当該警報器に対して所定の情報を入力するとともに、当該警報器に係る所定の情報を出力する入出力媒体をさらに備え、
当該入出力媒体は、
前記警報器を操作するための操作指令を受け付ける受付手段と、
前記受付手段によって受け付けた操作指令を前記警報器に対して送信する送信手段と、 前記警報器から当該警報器に係る状態情報を受信する受信手段と、
前記受信手段によって受信した状態情報を出力する出力手段と、
を備えたことを特徴とする請求項１から４のいずれか一項に記載の警報器。
【請求項６】
当該警報器は、所定の操作指令に応じて動作オンオフ、検出感度設定、試験開始、警報停止、および／または、照明装置の制御を行うものであって、
前記受付手段は、前記警報器の動作オンオフ、検出感度設定、試験開始、警報停止、および／または、照明装置の制御に係る操作指令を受け付け、
前記送信手段は、前記受付手段によって受け付けた前記警報器の動作オンオフ、検出感度設定、試験開始、警報停止、および／または、照明装置の制御に係る操作指令を前記警報器に対して送信することを特徴とする請求項５に記載の警報器。
【請求項７】
当該警報器は、異常を検出して警報を行うとともに、バックアップ電源監視、および／または、汚れ検知を行うものであって、
前記受信手段は、前記警報器から当該警報器のバックアップ電源監視、および／または、汚れ検知に係る状態情報を受信し、
前記出力手段は、前記受信手段によって受信した前記警報器のバックアップ電源監視、および／または、汚れ検知に係る状態情報を出力することを特徴とする請求項５又は６に記載の警報器。
【請求項８】
監視領域で発生した異常を検出して警報を行う警報器の制御方法であって、
前記監視領域で想定される複数の照明状態ごとに定められた警報処理内容を記憶手段に格納する格納工程と、
前記監視領域における照明状態が前記複数の照明状態のうちのいずれであるかを判別する照明状態判別工程と、
前記記憶手段に記憶された警報処理内容のうち、前記照明状態判別工程によって判別された照明状態に応じた警報処理内容を実行する警報処理工程であって、スピーカから警報音を出力することにより火災検出状態を周囲に報知する警報処理工程を含み、
前記警報処理工程は、当該警報器が警報状態にある場合に、前記記憶手段に記憶された警報処理内容であって、相互に異なる複数の音量の中から、前記照明状態判別工程で判別された照明状態に応じた音量を特定し、当該特定した音量で前記スピーカから警報音を出力することを特徴とする警報器の制御方法。
【発明の詳細な説明】
【技術分野】
【０００１】
この発明は、火災警報器やガス漏れ警報器、火災ガス漏れ警報器など、監視領域で発生した異常を検出して警報を行う警報器、および当該警報器の制御方法に関する。
【背景技術】
【０００２】
従来より、オフィスや一般住宅などの監視領域では、火災警報器やガス漏れ警報器、火災ガス漏れ警報器など、火災やガス漏れなどの異常を検出して警報を行う警報器が広く利用されている。そして、このような警報器には、いわゆるＡＣ電源から電源供給を受け、これを他の電気機器に供給するように工夫されたものもある。
【０００３】
例えば、特許文献１（実開昭５５−８９１９６号公報）には、天井等に設けられた引掛シーリングローゼットに機械的かつ電気的に接続される引掛片と、他の電気機器が機械的かつ電気的に接続される電源接続部とを有し、引掛シーリングローゼットから電源供給を受けて動作するとともに、電源接続部に接続された照明器具に対して電源を供給する感知器（警報器）が開示されている。
【０００４】
【特許文献１】実開昭５５−８９１９６号公報
【発明の開示】
【発明が解決しようとする課題】
【０００５】
ところで、上記した従来の技術は、照明器具が点灯している場合も消灯している場合も同一の感度で検出を行うものに過ぎず、監視領域に居る利用者の状況を考慮した多様性ある検出処理ではないという問題点があった。すなわち、監視領域に居る利用者の状況は、就寝中であったり活動中であったりと、監視領域の照明器具の状態に応じても変化するものであり、このような利用者の状況を考慮した多様性ある検出処理を行えば安全性確保に寄与すると考えられるが、上記の従来技術は、これを何ら考慮することなく画一的な検出処理を行うに過ぎなかった。
【０００６】
そこで、この発明は、上述した従来技術の課題を解決するためになされたものであり、
監視領域に居る利用者の状況を考慮した多様性ある検出処理を行うことが可能な警報器、および当該警報器の制御方法を提供することを目的とする。
【課題を解決するための手段】
【０００７】
上述した課題を解決し、目的を達成するため、請求項１に係る警報器は、監視領域で発生した異常を検出して警報を行う警報器であって、前記監視領域で想定される複数の照明状態ごとに定められた検出処理内容と、当該複数の照明状態ごとに定められた警報処理内容を記憶する記憶手段と、前記監視領域における照明状態が前記複数の照明状態のうちのいずれであるかを判別する照明状態判別手段と、前記記憶手段に記憶された検出処理内容のうち、前記照明状態判別手段によって判別された照明状態に応じた検出処理内容を実行する検出処理手段と、前記記憶手段に記憶された警報処理内容のうち、前記照明状態判別手段によって判別された照明状態に応じた警報処理内容を実行する警報処理手段と、前記警報処理手段からの警報処理内容としての指令に基づいて、前記照明状態判別手段によって判別された照明状態に応じた照明器具の照明制御を行う照明制御手段と、前記監視領域における火災の発生を周囲の煙濃度に基づいて検出する検出手段と、を備え、前記記憶手段は、前記監視領域における照明状態ごとに所定の蓄積時間を記憶し、前記検出処理手段は、前記記憶手段に記憶された蓄積時間の中から前記照明状態判別手段によって判別された照明状態に応じた蓄積時間を取得し、当該取得した蓄積時間にわたって前記検出手段にて検出された煙濃度が所定濃度以上に達したか否かを判定し、前記記憶手段に記憶された検出処理内容のうち、当該検出処理手段によって判定された判定結果に応じた検出処理内容を実行することを特徴とする。
【０００８】
また、請求項２に係る警報器は、請求項１に記載の警報器において、さらに、前記検出手段は、前記監視領域における火災の発生を周囲の温度又は周囲の温度上昇率に基づいて検出し、前記記憶手段は、前記監視領域における照明状態ごとに所定の閾値温度又は所定の温度上昇率を記憶し、前記検出処理手段が、前記記憶手段に記憶された蓄積時間の中から、前記照明状態判別手段によって判別された照明状態に応じた蓄積時間を取得し、当該取得した蓄積時間にわたって前記検出手段にて検出された煙濃度が所定濃度以上に達したか否かを判定し、前記記憶手段に記憶された検出処理内容のうち、当該検出処理手段によって判定された判定結果に応じた検出処理内容を実行するのか、前記記憶手段に記憶された前記閾値温度の中から、前記照明状態判別手段によって判別された照明状態に応じた閾値温度を取得し、当該取得した閾値温度以上に前記検出手段にて検出された周囲の温度が達したか否かを判定し、前記記憶手段に記憶された検出処理内容のうち、当該検出処理手段によって判定された判定結果に応じた検出処理内容を実行するのか、又は、前記記憶手段に記憶された温度上昇率の中から、前記照明状態判別手段によって判別された照明状態に応じた温度上昇率を取得し、当該取得した温度上昇率以上に前記検出手段にて検出された周囲の温度上昇率が達したか否かを判定し、前記記憶手段に記憶された検出処理内容のうち、当該検出処理手段によって判定された判定結果に応じた検出処理内容を実行するのかを、利用者が選択可能であることを特徴とする。
【０００９】
また、請求項３に係る警報器は、監視領域で発生した異常を検出して警報を行う警報器であって、前記監視領域で想定される複数の照明状態ごとに定められた警報処理内容を記憶する記憶手段と、前記監視領域における照明状態が前記複数の照明状態のうちのいずれであるかを判別する照明状態判別手段と、前記記憶手段に記憶された警報処理内容のうち、前記照明状態判別手段によって判別された照明状態に応じた警報処理内容を実行する警報処理手段と、警報音によって火災検出状態を周囲に報知するスピーカと、前記スピーカの警報音の出力を制御する音声出力部と、を備え、前記警報処理手段は、当該警報器が警報状態にある場合の警報処理内容として、相互に異なる複数の音量の中から前記照明状態判別手段によって判別された照明状態に応じた音量で警報音を前記スピーカから出力させるように、前記音声出力部を制御することを特徴とする。
【００１０】
また、請求項４に係る警報器は、請求項１から３のいずれか一項に記載の警報器において、前記警報処理手段は、当該警報器が待機状態にある場合の警報処理内容として、相互に異なる複数の警報処理内容の中から前記照明状態判別手段によって判別された照明状態に応じた警報処理内容を実行することを特徴とする。
【００１１】
また、請求項５に係る警報器は、請求項１から４のいずれか一項に記載の警報器において、当該警報器に対して所定の情報を入力するとともに、当該警報器に係る所定の情報を出力する入出力媒体をさらに備え、当該入出力媒体は、前記警報器を操作するための操作指令を受け付ける受付手段と、前記受付手段によって受け付けた操作指令を前記警報器に対して送信する送信手段と、前記警報器から当該警報器に係る状態情報を受信する受信手段と、前記受信手段によって受信した状態情報を出力する出力手段と、を備えたことを特徴とする。
【００１２】
また、請求項６に係る警報器は、請求項５に記載の警報器において、当該警報器は、所定の操作指令に応じて動作オンオフ、検出感度設定、試験開始、警報停止、および／または、照明装置の制御を行うものであって、前記受付手段は、前記警報器の動作オンオフ、検出感度設定、試験開始、警報停止、および／または、照明装置の制御に係る操作指令を受け付け、前記送信手段は、前記受付手段によって受け付けた前記警報器の動作オンオフ、検出感度設定、試験開始、警報停止、および／または、照明装置の制御に係る操作指令を前記警報器に対して送信することを特徴とする。
【００１３】
また、請求項７に係る警報器は、請求項５又は６に記載の警報器において、当該警報器は、異常を検出して警報を行うとともに、バックアップ電源監視、および／または、汚れ検知を行うものであって、前記受信手段は、前記警報器から当該警報器のバックアップ電源監視、および／または、汚れ検知に係る状態情報を受信し、前記出力手段は、前記受信手段によって受信した前記警報器のバックアップ電源監視、および／または、汚れ検知に係る状態情報を出力することを特徴とする。
【００１４】
また、請求項８に係る警報器の制御方法は、監視領域で発生した異常を検出して警報を行う警報器の制御方法であって、前記監視領域で想定される複数の照明状態ごとに定められた警報処理内容を記憶手段に格納する格納工程と、前記監視領域における照明状態が前記複数の照明状態のうちのいずれであるかを判別する照明状態判別工程と、前記記憶手段に記憶された警報処理内容のうち、前記照明状態判別工程によって判別された照明状態に応じた警報処理内容を実行する警報処理工程であって、スピーカから警報音を出力することにより火災検出状態を周囲に報知する警報処理工程を含み、前記警報処理工程は、当該警報器が警報状態にある場合に、前記記憶手段に記憶された警報処理内容であって、相互に異なる複数の音量の中から、前記照明状態判別工程で判別された照明状態に応じた音量を特定し、当該特定した音量で前記スピーカから警報音を出力することを特徴とする。
【発明の効果】
【００１７】
請求項１の発明によれば、監視領域の照明器具が点灯している場合には利用者が活動中である可能性が高く、監視領域の照明器具が消灯している場合には利用者が就寝中である可能性が高いなど、監視領域の照明状態から利用者の状況を想定して定められた検出処理内容を機動的に実行するので、例えば、照明点灯時には低感度検出を行って照明消灯時には高感度検出を行うなど、監視領域に居る利用者の状況を考慮した多様性ある検出処理を行うことが可能になる。また、監視領域の照明状態から利用者の状況を想定して定められた警報処理内容も機動的に実行するので、例えば、照明消灯時には照明点灯時よりも大音量の警報を出力するなど、監視領域に居る利用者の状況を考慮した多様性ある警報処理を行うことも可能になる。また、閾値ではなく蓄積時間を変えて検出処理を行うことができる。
【００１８】
また、請求項２の発明によれば、煙以外のファクタを代わりに（若しくは一緒に）用いて火災を検出することができる。なお、煙と熱のＡＮＤによって火災発生を判断することで、誤報を防止することができる。
【００１９】
また、請求項３又は８の発明によれば、監視領域の照明状態から利用者の状況を想定して定められた警報処理内容も機動的に実行するので、例えば、照明消灯時には照明点灯時よりも大音量の警報を出力するなど、監視領域に居る利用者の状況を考慮した多様性ある警報処理を行うことも可能になる。
【００２０】
また、請求項４の発明によれば、消灯状態にある照明器具を警報処理内容の一つとして点灯させるので、利用者は照明器具の照明を頼りに監視領域の状況確認を迅速に行うことが可能になる。その一方、点灯状態にある照明器具を警報処理内容の一つとして点滅させるので、利用者は警報出力を確実に認識することが可能になる。
【００２１】
また、請求項５の発明によれば、警報器本体と通信によって接続される入出力装置（いわゆるリモコン）を介して警報器に係る入出力を行うので、利用者は警報器に対して容易に操作入力を行うことが可能になり、また、利用者は警報器による報知出力を容易に認識することが可能になる。
【００２２】
また、請求項６の発明によれば、利用者はリモコン上の操作入力を通じて、警報器の動作オンオフ、検出感度設定、試験開始、警報停止、照明装置の制御などを簡単かつ迅速に実行することが可能になる。
【００２３】
また、請求項７の発明によれば、利用者はリモコン上の報知出力を通じて、警報器のバックアップ電源監視、汚れ検知などに係る状態情報を簡単かつ迅速に認識することが可能になる。
【発明を実施するための最良の形態】
【００２５】
以下に添付図面を参照して、この発明に係る警報器、および当該警報器の制御方法の実施例を詳細に説明する。なお、以下では、本発明に係る警報器を用いた警報システムを実施例として、本実施例に係る警報システムの概要および特徴を説明した後に、当該警報システムのリモコンおよび警報器の構成、警報器による処理を順に説明し、最後に本実施例に対する種々の変形例を説明する。
【実施例】
【００２６】
［１：警報システムの概要および特徴］
まず最初に、図１を用いて、本実施例に係る警報システムの概要および特徴を説明する。図１は、本実施例に係る警報システムの全体構成を示す図である。
【００２７】
本実施例に係る警報システムは、一般住宅の台所や寝室、リビングのほか、オフィスの一室など、比較的に小さな監視領域を対象にして形成され、監視領域で発生する火災（煙）を検出して警報を発する煙検知の警報システムである。具体的には、図１に示すように、ＡＣ１００Ｖの電気配線１、照明スイッチ２ａのスイッチボックス２およびシーリングローゼット３が設置されている監視領域において、さらに、照明器具４と、リモコン１０と、警報器２０とを備えて構成される。
【００２８】
そして、かかる警報システムは、以下で簡単に説明するように、（１）照明状態に応じた検出処理、（２）警報器２０の機能不全の防止、（３）警報器２０に対する容易な操作入力などの主たる特徴を有する。なお、シーリングローゼット３は特許請求の範囲に記載の「照明用ローゼット」に対応し、リモコン１０は同じく「入出力媒体」に対応する。
【００２９】
（１）照明状態に応じた検出処理
図１に示した警報システムおいて、警報器２０は、監視領域で想定される複数の照明状態（すなわち、照明器具４の点灯状態および消灯状態）ごとに定められた検出処理内容を記憶する。つまり、照明器具４が点灯している場合には利用者が活動中である可能性が高く、照明器具４が消灯している場合には利用者が就寝中である可能性が高いなど、監視領域の照明状態から利用者の状況を想定して定められた検出感度を記憶する（図８参照）。
【００３０】
そして、警報器２０は、監視領域における照明状態がいずれであるかを常に判別した上で、照明器具４の点灯時には低感度検出を行い、照明器具４の消灯時には高感度検出を行う。このようなことから、図１に示した警報システムでは、利用者が活動中であれば誤発報を防止すべく低感度で検出を行い、利用者が就寝中であれば早期発報を実現すべく低感度で検出を行うなど、監視領域に居る利用者の状況を考慮した多様性ある検出処理を行うことが可能になる。
【００３１】
（２）警報器の機能不全の防止
図１に示した警報システムにおいて、警報器２０は、監視領域の天井面に既設のシーリングローゼット３に接続され、かかるシーリングローゼット３を介して動力源としての電源を機器内に入力する（図３参照）。また、警報器２０には、監視領域を照らす照明器具４が接続され、シーリングローゼット３を介して入力された電源を照明器具４に出力するとともに、かかる電源出力を調整して照明器具４の照明状態を制御する（電源出力のオンオフによって点灯または消灯を切り替える）。さらに、警報器２０は、かかる電源出力の調整によって制御された照明器具４の照明状態に基づいて、監視領域における照明状態を判別する。
【００３２】
このようなことから、図１に示した警報システムでは、シーリングローゼット３に敷設された電気配線１を介して簡単かつ確実に電源供給を受けるので、警報器２０に電源を供給するためのプラグが利用者によってコンセントから抜かれるといった危険性はなく、警報器２０の意図的な機能不全を防止することが可能になる。また、シーリングローゼット３と照明器具４との間に警報器２０本体が接続されるとともに、警報器２０に電源を供給するための電気配線として天井面や壁面の裏にある既存の電気配線１を用いるので、監視領域のレイアウトに変更を生じさせることなく警報器２０を設置することが可能になる。
【００３３】
さらに、警報器２０は監視領域で発生した異常を検出して警報を行うだけでなく、監視領域の照明状態（照明器具４）の制御も行うので、ユーザにおける警報器導入のインセンティブを照明制御の機能面からも刺激して、一般家庭にも警報器２０を広く導入・普及させることが可能になる。なお、警報器２０本体に接続される照明器具４への電源出力を調整して監視領域の照明状態を制御するので、監視領域の照明状態を的確に判別して適切な検出処理を行うことも可能になる。
【００３４】
（３）警報器に対する容易な操作入力
図１に示した警報システムにおいて、リモコン１０は、警報器２０に対して所定の情報を入力するとともに、警報器２０に係る所定の情報を出力する。すなわち、リモコン１０は、照明器具４のオンオフ（点灯消滅）、試験開始、音声警報停止の操作指令を利用者からボタンを介して受け付けて、かかる操作指令を警報器２０に対して送信する（図２参照）。そして、警報器２０は、リモコン１０から受信した操作指令に応じて、照明器具４のオンオフ（点灯消滅）、試験開始、音声警報停止を行う。
【００３５】
その一方、警報器２０は、現在の検出値（煙濃度）、現在の設定感度（低感度、高感度）、現在の照明状態に係る情報を所定のタイミングでリモコン１０に送信するとともに、火災検出時には火災を検出した旨の状態情報（火災警報）をリモコン１０に送信する。そして、リモコン１０では、かかる状態情報を受信して、これらを表示部に出力する（図５参照）。
【００３６】
このようなことから、図１に示した警報システムでは、警報器２０本体と通信によって接続されるリモコン１０を介して警報器２０に係る入出力を行うので、利用者は警報器２０に対して容易に操作入力を行うことが可能になり、また、利用者は警報器２０による報知出力を容易に認識することが可能になる。
【００３７】
［２：リモコンの構成］
次に、図２や図４を用いて、図１に示したリモコン１０の構成を説明する。図２は、図１に示したリモコン１０の外観構成を示す外観図であり、図４は、かかるリモコン１０の内部構成を示すブロック図である。
【００３８】
図２に示すように、リモコン１０の外観は、掌サイズの平板型の筐体（本体）として形成され、その上部には警報器２０と通信を行うための送受信部１３を備える。また、筐体表側の下部には操作指令を受け付けるためのボタン１１を備え、さらに、その上部には状態表示を行うための表示部１２を備える。なお、筐体表側のボタン１１近辺には、操作指令の内容を示す文字（「照明（短）／試験（長）」や「警報停止」）が記されている。
【００３９】
そして、かかるリモコン１０の内部は、図４に示すように、ボタン１１と、表示部１２と、送受信部１３と、制御部１４（受信制御部１４ａおよび送信制御部１４ｂ）と、電池１５とを備える。なお、ボタン１１は特許請求の範囲に記載の「受付手段」に対応し、受信制御部１４ａおよび送受信部１３は同じく「受信手段」に対応し、送信制御部１４ｂおよび送受信部１３は同じく「送信手段」に対応し、表示部１２は同じく「出力手段」に対応する。
【００４０】
このうち、電池１５は、リモコン１０の動力源であり、例えば、交換可能なコイン型のリチウム電池などが用いられる。また、ボタン１１は、警報器２０を操作するための操作指令を受け付ける受付手段であり、具体的には、照明器具４のオンオフ（点灯消滅）、試験開始、音声警報停止の操作指令を利用者から一つのボタン１１によって受け付ける。すなわち、照明器具４のオンオフ（点灯消滅）および音声警報停止の操作指令についてはボタン１１の短押しによって受け付け、試験開始の操作指令についてボタン１１の長押しによって受け付ける。
【００４１】
送信制御部１４ｂは、ボタン１１によって受け付けた操作指令を送受信部１３から警報器２０に対して送信する処理部である。具体的には、ボタン１１が短押しされた場合には、照明オンオフ／音声警報停止の操作指令信号（操作指令コード１）を生成し、これを送受信部１３から送信する。一方、ボタン１１が長押しされた場合には、試験開始の操作指令信号（操作指令コード２）を生成し、これを送受信部１３から送信する。
【００４２】
なお、操作指令コードを受信した警報器２０では、操作指令コードを解読して操作指令の内容を判別する。この際、上記の操作指令コード１については、照明オン、照明オフ、音声警報停止のいずれであるかを判別する必要があるが、警報器２０では、同一信号である操作指令コード１を受信した状況に応じて操作指令の内容を判別する。すなわち、警報中に受信すれば、音声警報停止と判別し、警報中以外かつ照明点灯中に受信すれば、照明オフと判別し、警報中以外かつ照明消灯中に受信すれば、照明オンと判別する。
【００４３】
送受信部１３は、警報器２０と通信を行う通信手段である。具体的には、操作指令を送信する場合には、送信制御部１４ｂによって生成された操作指令コードを増幅し、これを赤外線発光ダイオードから赤外線信号として発射（送信）する。一方、状態情報を受信する場合には、警報器２０から赤外線信号として発信された状態情報に係る信号（状態情報コード）をピンフォトダイオードで受信し、これを電気信号に戻して受信制御部１４ａに受け渡す。
【００４４】
受信制御部１４ａは、状態情報コードを解読して状態情報の内容を判別し、判別した状態情報を表示部１２に表示するように制御する処理部である。具体的には、状態情報コードを解読するためのコードテーブルを参照し、現在の検出値（煙濃度）、現在の設定感度、現在の照明状態、火災警報のいずれのコードを受信したかを判別するとともに、煙濃度については煙濃度のアナログ値、設定感度については低感度であるか高感度であるか、照明状態については点灯状態であるか消灯状態であるかをそれぞれ判別する。
【００４５】
表示部１２は、警報器２０から受信した状態情報を出力する出力手段であり、例えば、液晶画面などで構成される。具体的には、図５に例示するように、受信制御部１４ａの制御によって、画面下部に現在時刻を表示するとともに、画面上部左側に火災発報の有無（火災を検出した旨の状態情報を警報器２０から受信した場合に「炎マーク」を点灯表示する。）、画面上部中央に照明器具４の現在の照明状態（照明点灯中は「お日様マーク」を点灯表示する。）、画面上部左側に現在の設定感度（低感度か高感度かに応じた位置の「三角マーク」を点灯表示する。）および現在の検出値（煙濃度のアナログ出力値をバー形式で点灯表示する。）をそれぞれ表示出力する。
【００４６】
上述してきたリモコン１０によれば、利用者は警報器２０に対する操作入力（照明器具４の点灯消滅、試験開始、音声警報停止の操作指令など）を容易に行うことが可能になり、また、利用者は警報器２０による報知出力（現在の煙濃度、現在の設定感度、現在の照明状態、火災警報の有無）を容易に認識することが可能になる。
【００４７】
また、リモコン１０によれば、ボタン１１の短押しであれば照明器具４の制御、ボタン１１の長押しであれば試験開始といった具合に、一つのボタン１１が長押しされたか短押しされたかで操作指令の内容を判別するので、リモコン１０に操作指令の数だけ操作ボタン等を設ける必要がなく、リモコン１０を簡易な構成にすることが可能になる。
【００４８】
さらに、リモコン１０によれば、同一の操作指令コードであっても、照明点灯時の信号受信であれば照明消灯、照明消灯時の信号受信であれば照明点灯といった具合に、警報器２０側で操作指令を受信した際の状況に応じて操作指令の内容を判別するので、リモコン１０に操作指令の数だけボタン１１を設ける必要がなく、リモコン１０を簡易な構成にすることが可能になる。
【００４９】
なお、環境保護の一環として省電力の観点から照明器具４をこまめに入切することが望まれる近年では、リモコン１０によって照明器具４の制御を容易に行えることは効果が大きいと考えられる。
【００５０】
［３：警報器の構成］
続いて、図３および図６を用いて、図１に示した警報器２０の構成を説明する。図３は、図１に示した警報器２０の外観構成を示す外観図であり、図６は、かかる警報器２０の内部構成を示すブロック図である。
【００５１】
図３に示すように、警報器２０の外観は、円盤状の筐体（上部筐体）から下方向に皿状の筐体（下部筐体）が隆起して形成される。そして、上部筐体の上面にはシーリングローゼット３に引っ掛けるための引掛栓２１を備える。
【００５２】
また、上部筐体の側面（円周面）には、リモコン１０と通信を行うためのリモコン送受信部２６と、警報を出力するためのスピーカ２４とを全方向に渡って複数備える。なお、これらを全方向に備える意義は、全方向で通信を可能にするためと、全方向に警報を出力するためである。
【００５３】
一方、警報器２０の下部筐体には、警報を出力するための表示灯２５と、火災によって発生した煙を流入するための火災検出部（煙流入口）２３とを全方向に渡って複数備える。なお、これらを全方向に備える意義も、全方向に警報を出力するためと、全方向で火災を早期に発見可能にするためである。
【００５４】
さらに、下部筐体の下面には照明器具４のコンセントを差し込むための引掛型コンセント２２を備える。なお、引掛栓２１（シーリングローゼット３）と引掛型コンセント２２とを同軸上に位置するように備える意義は、警報器２０を室内でも違和感なく照明器具４の上に設置できるようにするためである。
【００５５】
そして、かかる警報器２０の内部は、図６に示すように、火災検出部２３と、リモコン送受信部２６と、制御部３０と、記憶部３１と、表示出力部３２と、音声出力部３３と、電源入力部３４と、電源出力部３５とを備える。なお、記憶部３１は特許請求の範囲に記載の「記憶手段」に対応し、電源入力部３４は同じく「電源入力手段」に対応し、電源出力部３５は同じく「電源出力手段」に対応する。
【００５６】
このうち、火災検出部２３は、監視領域における火災の発生を検出する検出手段である。具体的には、赤外線ＬＥＤおよびフォトダイオードを用いて火災時に発生する煙の濃度を検出し、その数値からなる検出信号を制御部３０に受け渡す。なお、煙濃度の感知手法は、必ずしも光電式感知に限定されるものではなく、いわゆるイオン化式感知などの他手法を任意に採用してもよい。
【００５７】
スピーカ２４は、音声出力部３３の制御に基づいて警報メッセージやブザー音を監視領域に出力することによって、警報器２０による火災検出状態を周囲に報知する手段である。そして、音声出力部３３は、制御部３０からの指示に応じて、火災検出時にスピーカ２４を介して警報メッセージやブザー音を出力する処理部である。
【００５８】
表示灯２５は、表示出力部３２の制御に基づいて点灯または点滅することによって、警報器２０による火災検出状態を周囲に報知する赤色ＬＥＤなどの表示灯手段である。そして、表示出力部３２は、制御部３０からの指示に応じて、表示灯２５を点灯または点滅させる処理部である。
【００５９】
リモコン送受信部２６は、リモコン１０と通信を行う通信手段である。具体的には、操作指令コードを受信する場合には、リモコン１０から赤外線信号として発信された操作指令コードをピンフォトダイオードで受信し、これを電気信号に戻して制御部３０（受信制御部３０ｂ）に受け渡す。一方、状態情報を送信する場合には、制御部３０（送信制御部３０ｃ）によって生成された状態情報コードを増幅し、これを赤外線発光ダイオードから赤外線信号として発射（送信）する。
【００６０】
電源入力部３４は、シーリングローゼット３に接続され、電気配線を介して警報器２０内に動力源としての電源を入力する手段であり、図３に例示した引掛栓２１に対応する。なお、電源入力部３４から先には、シーリングローゼット３および電気配線１を介してスイッチボックス２があるが、このスイッチボックス２に設けられた照明スイッチ２ａのオンオフによって、警報器２０（さらには照明器具４）への電力供給がオンオフされる。
【００６１】
電源出力部３５は、照明器具４に接続され、電源入力部３４から警報器２０内に入力された電源を照明器具４に出力する手段であり、図３に例示した引掛型コンセント２２に対応する。また、電源出力部３５は、制御部３０からの指示に応じて電源出力の調整（電源入または電源切）を行って、照明器具４の点灯・消灯を切り替える。
【００６２】
記憶部３１は、制御部３０による各種処理に必要なデータおよびプログラムを格納する格納手段（記憶手段）であり、特に本発明に密接に関連するものとしては、図７および図８に例示するように、各種の処理実行条件と実行処理内容とを対応付けた処理用テーブルを備える。
【００６３】
より具体的には、図７に例示する処理用テーブルは、照明スイッチ２ａおよびリモコン１０のボタン１１における操作状態などに応じて、警報器２０が、照明器具４の照明状態制御、検出処理、警報処理、試験処理として、如何なる処理を実行するかを規定したものである。なお、具体的な処理内容は後にそれぞれ詳述する。
【００６４】
また、図８に例示する処理用テーブルは、照明スイッチ２ａおよび照明器具４の状態に応じて、警報器２０が如何なる検出処理および警報処理を実行するかを規定したものである。なお、これについても具体的な処理内容は後に詳述する。
【００６５】
制御部３０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、状態監視部３０ａと、受信制御部３０ｂと、送信制御部３０ｃと、照明制御部３０ｄと、検出処理部３０ｅと、警報処理部３０ｆとを備える。なお、状態監視部３０ａは特許請求の範囲に記載の「照明状態判別手段」に対応し、照明制御部３０ｄは同じく「照明制御手段」に対応し、検出処理部３０ｅは同じく「検出処理手段」に対応し、警報処理部３０ｆは同じく「警報処理手段」に対応する。
【００６６】
このうち、状態監視部３０ａは、警報器２０に関する各種の状態を監視・判別する処理部である。具体的には、照明スイッチ２ａの操作状態（電源入力部３４は電源を入力しているか等）、リモコン１０の操作状態（受信制御部３０ｂは如何なる内容の操作指令を受信しているか等）、照明器具４の照明状態（電源出力部３５は電源を出力しているか等）、検出処理の状態（検出処理部３０ｅは低感度で検出中であるか等）、警報処理の状態（警報処理部３０ｆは待機中であるか警報中であるか等）を判別する。なお、警報器２０は、かかる状態監視部３０ａによって判別された各種の状態と、記憶部３１の処理用テーブル（図７や図８参照）に記憶された各種の処理実行条件とを参照して、条件を満足する場合に該当する処理を実行する。
【００６７】
受信制御部３０ｂは、リモコン送受信部２６を介してリモコン１０から受信した操作指令コードを解読して操作指令の内容を判別する処理部である。具体的には、操作指令コードを解読するためのコードテーブルを参照し、照明オンオフ／音声警報停止の操作指令信号（操作指令コード１）、試験開始の操作指令信号（操作指令コード２）のいずれのコードを受信したかを判別するが、この際、操作指令コード１については、それを受信した状況に応じて、照明オン、照明オフ、音声警報停止のいずれであるかを判別する。すなわち、警報中に受信すれば、音声警報停止と判別し、警報中以外かつ照明点灯中に受信すれば、照明オフと判別し、警報中以外かつ照明消灯中に受信すれば、照明オンと判別する。
【００６８】
送信制御部３０ｃは、警報器２０の状態情報をリモコン送受信部２６からリモコン１０に対して送信する処理部である。具体的には、所定の時間間隔（例えば１分ごと）、火災検出部２３で検出された現在の検出値（煙濃度）に係る状態情報コードを生成し、これをリモコン送受信部２６から送信する。また、状態監視部３０ａが監視する検出感度に変更が生じた場合には、変更後の検出感度（現在の設定感度）に係る状態情報コードを生成して送信する。また、状態監視部３０ａが監視する照明状態に変更が生じた場合には、変更後の照明状態（現在の照明状態）に係る状態情報コードを生成して送信する。さらに、状態監視部３０ａが監視する警報状態に変更が生じた（待機中から警報中になった）場合には、火災警報に係る状態情報コードを生成して送信する。
【００６９】
照明制御部３０ｄは、電源出力部３５による電源出力を調整して照明器具４の照明状態を制御する処理部である。具体的には、電源出力部３５に対して電源入または電源切を行って、照明器具４の点灯・消灯を切り替えるが、例えば、照明スイッチ２ａがＯＦＦ状態からＯＮ状態に切り替えられた場合には、電源出力部３５に対して電源入を行って照明器具４を点灯させる（図７の（２）参照）。そして、照明スイッチ２ａのＯＮ状態では、リモコン１０のボタン１１操作に応じて、照明オフの操作指令（点灯時におけるボタン１１の短押し）があれば、照明器具４を点灯状態から消灯させる一方、照明オンの操作指令（消灯時におけるボタン１１の短押し）があれば、照明器具４を消灯状態から点灯させる（図７の（３）および（４）参照）。なお、照明スイッチ２ａがＯＮ状態からＯＦＦ状態に切り替えられた場合には、警報器２０への電源供給自体が停止されるので、照明器具４は無条件で消灯状態になる（図７の（７）参照）。
【００７０】
検出処理部３０ｅは、火災検出部２３から入力された検出信号（煙濃度）に基づいて火災の有無を判断する処理部である。具体的には、火災検出部２３から煙濃度が入力された場合に、これを処理用テーブル（図８参照）に記憶された閾値濃度と比較することによって、火災発生の有無を判断し、火災が発生したと判断すると、警報処理部３０ｆに火災信号を出力する。
【００７１】
より詳細には、検出処理部３０ｅは、図８に例示するように、照明器具４の照明状態に応じて、異なる閾値濃度を用いて火災発生の有無を判断する。すなわち、同図に示すように、照明スイッチ２ａがＯＮ状態にあって照明器具４が点灯している場合には、低感度検出モードとして、周囲の煙濃度が１０（％／ｍ）以上に達したか否かを判定する。その一方、照明スイッチ２ａがＯＮ状態にあって照明器具４が消灯している場合には、高感度検出モードとして、周囲の煙濃度が６（％／ｍ）以上に達したか否かを判定する（図８の（２）および（３）参照）。なお、照明スイッチ２ａがＯＦＦ状態にある場合には、警報器２０への電源供給自体が停止されるので、検出処理も停止される（同図の（１）参照）。
【００７２】
また、検出処理部３０ｅは、照明スイッチ２ａがＯＦＦ状態からＯＮ状態に切り替えられた場合には起動試験を実行し、また、試験開始の操作指令コードをリモコン１０から受信した場合には通常試験を実行する。具体的には、いずれの場合も、試験信号（火災検出部２３の検出信号に類似した信号）を生成し、この試験信号に基づいて火災発生の有無を擬似的に判断し、火災が発生したと判断した場合には、正常に作動し得ることを示す意味で警報信号を警報処理部３０ｆに出力する。
【００７３】
警報処理部３０ｆは、検出処理部３０ｅからの火災信号に基づいて火災発生の警報を行う処理部である。具体的には、検出処理部３０ｅから火災信号が入力された場合に、処理用テーブルに記憶された警報処理内容を実行するように、表示出力部３２、音声出力部３３および照明制御部３０ｄに指示を与えることで、所定の音声メッセージおよびブザー音をスピーカ２４から出力するとともに、表示灯２５を点滅させ、さらに照明器具４を点灯または点滅させる。
【００７４】
より詳細には、警報処理部３０ｆは、図８に例示するように、照明器具４の照明状態に応じて（検出処理部３０ｅの感度検出モードに応じて）、異なる警報処理内容で火災発生の警報を行う。すなわち、同図に示すように、低感度検出モードでは、緑色点滅で待機していた表示灯２５を赤色点滅に切り替えるとともに、「ウーウー  火事です  火事です」という警報メッセージ付きの警報音を７５ｄｂでスピーカ２４から出力し、さらに点灯状態にあった照明器具４を所定間隔で点滅させる（図８の（２）参照）。その一方、高感度検出モードでは、黄色点滅で待機していた表示灯２５を赤色点滅に切り替えるとともに、「ウーウー  火事です  火事です」という警報メッセージ付きの警報音を９０ｄｂでスピーカ２４から出力し、さらに消灯状態にあった照明器具４を点灯させる（図８の（３）参照）。なお、照明スイッチ２ａがＯＦＦ状態にある場合には、警報器２０への電源供給自体が停止されるので、警報処理も停止される（同図の（１）参照）。
【００７５】
また、警報処理部３０ｆは、検出処理部３０ｅによる起動試験および通常試験の実行に応じて、正常に作動し得ることを示す警報信号が検出処理部３０ｅから入力された場合には、正常に作動し得ることを報知する意味で、表示灯２５を数秒間に渡って赤色点滅させるとともに、「ウーウー  試験です  試験です」というメッセージ音を数秒間に渡ってスピーカ２４から出力する。なお、かかる報知によって、利用者は警報器２０が正常に機能している旨を確認することができる。
【００７６】
上述してきた警報器２０によれば、利用者が活動中であれば誤発報を防止すべく低感度で検出を行い、利用者が就寝中であれば早期発報を実現すべく低感度で検出を行うなど、監視領域に居る利用者の状況を考慮した多様性ある検出処理を行うことが可能になる。
【００７７】
また、警報器２０によれば、警報器２０に電源を供給するためのプラグが利用者によってコンセントから抜かれるといった危険性はなく、警報器２０の意図的な機能不全を防止することが可能になる。また、監視領域のレイアウトに変更を生じさせることなく警報器２０を設置することが可能になる。さらに、ユーザにおける警報器導入のインセンティブを照明制御の機能面からも刺激して、一般家庭にも警報器２０を広く導入・普及させることが可能になる。なお、監視領域の照明状態を的確に判別して適切な検出処理を行うことも可能になる。
【００７８】
また、警報器２０によれば、監視領域の照明状態から利用者の状況を想定して定められた警報処理内容も機動的に実行するので、例えば、照明消灯時には照明点灯時よりも大音量の警報を出力するなど、監視領域に居る利用者の状況を考慮した多様性ある警報処理を行うことも可能になる。
【００７９】
また、警報器２０によれば、警報器２０の表示灯２５よりも広範囲を照らし、利用者において警報器２０の表示灯２５よりも気付き易い位置にある照明器具４を、いわゆる警報表示灯としても活用するので、利用者は警報出力を容易に認識することが可能になる。
【００８０】
さらに、警報器２０によれば、消灯状態にある照明器具４を警報処理内容の一つとして点灯させるので、利用者は照明器具４の照明を頼りに監視領域の状況確認を迅速に行うことが可能になる。その一方、点灯状態にある照明器具４を警報処理内容の一つとして点滅させるので、利用者は警報出力を確実に認識することが可能になる。
【００８１】
［４：利用者操作に伴う各種処理］
次に、図７を用いて、警報器２０による処理のうち、利用者の操作に伴って実行される処理を説明する。利用者が操作する対象としては、照明スイッチ２ａとリモコン１０のボタン１１とがあるが、照明スイッチ２ａがＯＦＦ状態にある場合には、警報器２０への電源供給自体が停止されるので、警報器２０はリモコン１０の操作にも反応せず、照明器具４は消灯状態にあり、警報器２０による処理（検出処理、警報処理、試験処理など）は何ら実行されない状態にある（図７の（１）参照）。
【００８２】
ここで、照明スイッチ２ａがＯＦＦ状態からＯＮ状態に切り替えられた場合には、警報器２０は、照明器具４を点灯させるとともに起動試験を実行し、その後、低感度検出モードで検出処理を開始する（図７の（２）参照）。
【００８３】
そして、照明スイッチ２ａのＯＮ状態では、警報器２０は、リモコン１０のボタン１１操作に応じて、照明オフの操作指令（点灯時におけるボタン１１の短押し）があれば、照明器具４を点灯状態から消灯させるとともに、低感度検出モードから高感度検出モードに切り替えて検出処理を実行する（図７の（３）参照）。その一方、照明スイッチ２ａのＯＮ状態で、照明オンの操作指令（消灯時におけるボタン１１の短押し）があれば、警報器２０は、照明器具４を消灯状態から点灯させるとともに、高感度検出モードから低感度検出モードに切り替えて検出処理を実行する（図７の（４）参照）。
【００８４】
また、照明スイッチ２ａがＯＮ状態にあり、照明器具４の照明状態にかかわらず、警報処理による警報出力が開始された状態において、音声警報停止の操作指令（警報出力時におけるボタン１１の短押し）があれば、警報器２０は、警報処理のうち音声警報のみを停止させる（図７の（５）参照）。つまり、スピーカ２４から出力されていたメッセージ音は停止させるが、表示灯２５の赤色点滅は維持する。なお、照明器具４については点灯中であれば点灯を維持し、点滅中であれば点滅を停止して点灯に切り替える。これは、照明器具４の点滅は利用者に警報出力を確実に認識させるためのものであり、音声警報停止の操作指令後に点滅させておく必要性は低いからである。
【００８５】
さらに、照明スイッチ２ａがＯＮ状態にあり、照明器具４の照明状態にかかわらず、警報処理が待機中である状態において、試験開始の操作指令（ボタン１１の長押し）があれば、警報器２０は、通常試験を実行する（図７の（６）参照）。
【００８６】
そして、照明スイッチ２ａがＯＮ状態からＯＦＦ状態に切り替えられた場合には、警報器２０への電源供給自体が停止されるので、警報器２０はリモコン１０の操作にも反応せず、照明器具４は無条件で消灯状態になり、警報器２０による処理（検出処理、警報処理、試験処理など）は何ら実行されない停止状態になる（図７の（７）参照）。つまり、利用者は監視が不要になった場合には、照明スイッチ２ａをＯＦＦ状態にすることで、警報器２０への電源供給を容易に遮断することができ、これによって簡易に省電力化を図ることもできる。
【００８７】
［５：検出警報処理］
続いて、図９を用いて、警報器２０による検出処理および警報処理を説明する。図９は、警報器２０による検出処理および警報処理の流れを示すフローチャートである。
【００８８】
同図に示すように、警報器２０では、火災検出部２３による検出値（煙濃度）が制御部３０に入力されると（ステップＳ９０１肯定）、この検出値に係る状態情報コードを生成し、これをリモコン送受信部２６からリモコン１０に送信する（ステップＳ９０２）。また、警報器２０は、検出値が処理用テーブルに記憶されている閾値濃度を超えたか否かを判定する（ステップＳ９０３）。
【００８９】
具体的には、図８に例示したように、照明スイッチ２ａがＯＮ状態にあって照明器具４が点灯している場合には、低感度検出モードとして、周囲の煙濃度が１０（％／ｍ）以上に達したか否かを判定する。一方、照明スイッチ２ａがＯＮ状態にあって照明器具４が消灯している場合には、高感度検出モードとして、周囲の煙濃度が６（％／ｍ）以上に達したか否かを判定する（図８の（２）および（３）参照）。
【００９０】
そして、検出値が閾値濃度を超えていなかった場合には（ステップＳ９０３否定）、警報器２０は、上記のステップＳ９０１の処理に戻って次の検出値の入力を待つ（ステップＳ９０１）。これとは反対に、検出値が閾値濃度を超えていた場合には（ステップＳ９０３肯定）、警報器２０は警報処理を実行する（ステップＳ９０４）。
【００９１】
具体的には、図８に例示したように、低感度検出モードでは、表示灯２５を赤色点滅に切り替えるとともに、「ウーウー  火事です  火事です」という警報メッセージ付きの警報音を７５ｄｂでスピーカ２４から出力し、照明器具４を所定間隔で点滅させる（図８の（２）参照）。その一方、高感度検出モードでは、表示灯２５を赤色点滅に切り替えるとともに、「ウーウー  火事です  火事です」という警報メッセージ付きの警報音を９０ｄｂでスピーカ２４から出力し、照明器具４を点灯させる（図８の（３）参照）。
【００９２】
このようにして警報出力中になった後、音声警報停止の操作指令（リモコン１０におけるボタン１１の短押し）をリモコン１０から受信した場合には（ステップＳ９０５肯定）、警報器２０は、警報処理のうち音声警報のみを停止させる（ステップＳ９０６）。つまり、スピーカ２４から出力されていたメッセージ音を停止させる。
【００９３】
その後、音声警報停止は所定時間保持され、かかる所定時間が経過すると（ステップＳ９０７肯定）、警報器２０は、上記のステップＳ９０１の処理に戻って次の検出値の入力を待つ（ステップＳ９０１）。つまり、音声警報停止が永久に維持されるのではなく、所定時間後に監視を再開し、その後再び火災を検知すれば、同様に警報処理を行う。なお、利用者は照明スイッチ２ａを一旦ＯＦＦ状態にしてからＯＮ状態に切り替える操作を行えば、警報器２０の機能復旧が図られる。
【００９４】
［６：他の実施例］
さて、これまで本発明の実施例について説明したが、本発明は上述した実施例以外にも、種々の異なる形態にて実施されてよいものである。そこで、以下に示すように、（１）他の照明状態、（２）他の処理内容、（３）他の検出手法、（４）他の警報器、（５）他のリモコン、（６）他のシステム構成、（７）その他、にそれぞれ区分けして他の実施例を説明する。
【００９５】
（１）他の照明状態
例えば、本実施例では、照明器具４の照明状態として点灯状態と消灯状態を想定した場合を説明したが、本発明はこれに限定されるものではなく、点灯状態が段階的に変化する場合にも同様に適用することができる。つまり、この場合には、「消灯状態、第一点灯状態、第二点灯状態、第３点灯状態・・・」といった具合に、複数の照明状態ごとに定められた検出処理（高感度から低感度まで段階的に定められた感度による検出処理）を実行することになる。
【００９６】
また、上記のように点灯状態が段階的に変化する場合には、図５に例示したリモコン１０の表示部１２において、「お日様マーク」の周りにあるバー表示の数を照明状態の段階に対応付けて点灯表示するようにしてもよい。つまり、より照明状態が明るくなるにつれて、点灯表示されるバーの本数を増やすようにしてもよい。
【００９７】
（２）他の処理内容
上記の実施例で説明した検出処理および警報処理の内容（図８参照）はあくまでも例示であって、本発明はこれに限定されるものではなく、これとは異なる他の処理を行う場合でも、照明状態に応じて異なる検出処理内容若しくは警報処理内容を実行するものであれば本発明を同様に適用することができる。
【００９８】
すなわち、例を挙げれば、図１０に例示するように、低感度検出モードでは、周囲の煙濃度が６０秒の蓄積時間に渡って６（％／ｍ）以上に達したか否かを判定し、高感度検出モードでは、周囲の煙濃度が１０秒の蓄積時間に渡って６（％／ｍ）以上に達したか否かを判定するなど、閾値ではなく蓄積時間を変えて検出処理を行うようにしてもよい。
【００９９】
なお、上記の実施例では、照明器具４の点灯状態で低感度検出モードを採用し、消灯状態で高感度検出モードを採用する場合を説明したが、本発明はこれに限定されるものではなく、照明器具４の点灯状態で高感度検出モードを採用し、消灯状態で低感度検出モードを採用するようにしてもよい。
【０１００】
（３）他の検出手法
上記の実施例では、火災によって生じる煙から火災を検出する場合を説明したが、本発明はこれに限定されるものではなく、例えば、火災によって生じる熱やＣＯから火災発生の有無を検出するなど、煙以外のファクタを代わりに（若しくは一緒に）用いて火災を検出するようにしてもよい。なお、煙と熱のＡＮＤによって火災発生を判断することで、誤報を防止するようにしてもよい。
【０１０１】
これについて、例を挙げれば、熱感知式を採用する場合には、図１１に例示するように、低感度検出モードでは、周囲の温度が６０℃以上に達したか否かを判定し、高感度検出モードでは、周囲の温度が５０℃以上に達したか否かを判定するなど、各モードで異なる閾値温度を用いて火災発生の検出処理を実行するようにしてもよい。
【０１０２】
また、例を挙げれば、同図に例示するように、低感度検出モードでは、定温式の判定（周囲の温度が所定の温度以上に達したか否かを判定）を行い、高感度検出モードでは、差動式の判定（周囲の温度上昇率が所定の温度上昇率以上になったか否かを判定）を行って、火災発生の検出処理を実行するようにしてもよい。
【０１０３】
さらに、例を挙げれば、同図に例示するように、低感度検出モードでは、定温式の判定を行い、高感度検出モードでは、補償式の判定（周囲の温度が所定の温度以上に達したか、若しくは、周囲の温度上昇率が所定の温度上昇率以上になったか否かを判定）を行って、火災発生の検出処理を実行するようにしてもよい。
【０１０４】
また、図１０や図１１に例示した複数の処理例を予め警報器２０で処理可能とし、利用者の選択で処理方法を決定することで、設置環境に合った監視を行うようにしてもよい。同様に、図７や図８に例示する処理方法もパターンから処理設定するようにしてよい。また、この選択設定は、警報器２０に設けたディップスイッチ等の設定スイッチで選択してもよいし、リモコン１０からのデータ送信によって設定するようにしてもよい。
【０１０５】
（４）他の警報器
上記の実施例では、火災警報器に本発明を適用した場合を説明したが、本発明はこれに限定されるものではなく、火災とガス漏れ（炭化水素ガス）を検出する警報器や、ガス漏れのみを検出する警報器などにも同様に適用することができる。
【０１０６】
さらに、火災やガス漏れという異常を検出する警報器に本発明を適用する場合に限定されるものではなく、監視領域の異常（例えば、侵入など）に対して照明状態に応じた検出処理または警報処理を実行する（例えば、消灯時の侵入と点灯時の侵入とで異なる処理を実行する）警報器であれば、本発明を同様に適用することができる。
【０１０７】
（５）他のリモコン
また、本実施例では、リモコン１０が赤外線によって警報器２０と通信を行う場合を説明したが、本発明はこれに限定されるものではなく、例えば、電波、微弱電波、超音波、さらにはワイヤード式など、他の方式で通信を行うようにしてもよい。
【０１０８】
また、本実施例では、照明器具４の点灯消滅、試験開始、音声警報停止の操作指令などをリモコン１０で行う場合を説明したが、本発明はこれに限定されるものではなく、例えば、警報器２０自体の動作オンオフ（照明スイッチ２ａのオンオフに相当する。）など、他の操作指令を行うようにしてもよい。
【０１０９】
また、本実施例では、現在の煙濃度、現在の設定感度、現在の照明状態、火災警報の有無をリモコン１０で表示する場合を説明したが、本発明はこれに限定されるものではなく、例えば、火災検知部２３の汚れ具合、バッテリー内蔵型におけるバッテリー残量など、他の状態情報を表示するようにしてもよい。
【０１１０】
また、本実施例では、一つのボタン１１で操作指令を受け付ける場合を説明したが、本発明はこれに限定されるものではなく、図１２に例示するように、複数のボタン（照明ボタン１１ａおよび感知器ボタン１１ｂ）で操作指令を受け付けるようにしてもよい。なお、図１２に例示する場合には、照明ボタン１１ａの押下で照明器具４のオンオフが切り替わり、感知器ボタン１１ｂの押下で音声警報停止若しくは通常試験実行が行われる（図１３参照）。
【０１１１】
また、本実施例では、ボタン１１を介して操作指令を受け付ける場合を説明したが、本発明はこれに限定されるものではなく、例えば、スイッチレバーや、ダイヤルスイッチ、タッチパネルなど、他の受付手段を介して操作指令を受け付けるようにしてもよい。
【０１１２】
また、本実施例では、液晶画面としての表示部１１に状態情報を表示出力する場合を説明したが、本発明はこれに限定されるものではなく、例えば、ＬＥＤを点滅点灯させたり、スピーカからメッセージを出力したりなど、他の出力手段を介して状態情報を出力するようにしてもよい。なお、本実施例では、警報器２０の状態をリモコン１０へ送信しているが、これに限定されず、リモコン１０から警報器２０への片方向のみの送信であってもよい。
【０１１３】
（６）他のシステム構成
また、本実施例では、天井に既設されたシーリングローゼット３に警報器２０を接続する場合を説明したが、本発明はこれに限定されるものではなく、天井以外（例えば、壁面）に既設されている照明用ローゼットに警報器２０を接続するようにしてもよい。
【０１１４】
また、本実施例では、シーリングローゼット３と警報器２０とを別個に構成する場合を説明したが、本発明はこれに限定されるものではなく、両者を一体に構成し、警報器２０の機能が付加されたシーリングローゼット３として利用者に提供するようにしてもよい。さらに、警報器２０と照明器具４とを一体構成し、警報器２０の機能が付加された照明器具４として提供するようにしてもよい。
【０１１５】
また、本実施例では、シーリングローゼット３に本発明を適用した場合を説明したが、本発明はこれに限定されるものではなく、図１４に例示するように、スイッチボックス２に本発明を適用するようにしてもよい。すなわち、この場合には、図１５に例示するように、スイッチボックス２に収容される筐体本体として警報器２０を構成し、この警報器２０から照明器具４の照明状態を制御することになるが、警報器２０には、照明スイッチ２ａのオンオフ状態にかかわらず、電気配線から電源が直接供給される。
【０１１６】
また、本実施例では、警報器２０が照明器具４の照明状態を制御することで照明状態を判別する場合を説明したが、本発明はこれに限定されるものではなく、例えば、照明器具４と警報器２０とが別個独立に動作するような監視領域（両者が接続されない一般的な監視領域）であっても、光量センサ等を警報器２０が備えることで照明状態を判別するなどして、本発明を適用するようにしてもよい。
【０１１７】
また、本実施例では、スイッチボックス２に照明スイッチ２ａがある場合を説明したが、本発明はこれに限定されるものではなく、スイッチボックス２から照明スイッチ２ａを排除し（照明スイッチ２ａがＯＦＦ状態になることを防止し）、照明スイッチ２ａが常にＯＮ状態になっているような環境にしてもよい。この場合には、停電や断線などのトラブルがない限り、警報器２０に電源が常に供給されることになる。
【０１１８】
また、上記のように、警報器２０に電源が常に供給されるようにした場合には、停電や断線などのトラブルで電源供給が停止された際に用いるバックアップ電源を、警報器２０が備えるようにしてもよい。そして、このようなバックアップ電源を備える場合には、バッテリー残量をリモコン１０に送信して表示させたり、バッテリー残量が少なくなるとバッテリー異常警報をリモコン１０に送信して表示させるなどしてもよい。さらに、このようなバックアップ電源としては、電気配線１から電源を充電する方式を採用してもよい。
【０１１９】
（７）その他
また、図４に示したリモコン１０や図６に示した警報器２０の各構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成することができる。
【０１２０】
さらに、警報器２０にて行なわれる各処理機能は、その全部または任意の一部が、ＣＰＵおよび当該ＣＰＵにて解析実行されるプログラムにて実現される必要は必ずしもなく、電気回路などによるハードウェアとして実現してもよい。
【０１２１】
また、上記の実施例で説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報（特に、処理用テーブルに規定した情報）については、特記する場合を除いて任意に変更することができる。
【０１２２】
なお、上記の実施例で説明した各種の処理方法（検出処理や警報処理などの方法）は、あらかじめ用意されたプログラムを警報器としてのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、警報器としてのコンピュータによって記録媒体から読み出されることによって実行することもできる。
【産業上の利用可能性】
【０１２３】
以上のように、本発明に係る警報器、および当該警報器の制御方法は、監視領域で発生した異常を検出して警報を行う場合に有用であり、特に、監視領域に居る利用者の状況を考慮した多様性ある検出処理を行うことに適する。
【図面の簡単な説明】
【０１２４】
【図１】本実施例に係る警報システムの全体構成を示す図である。
【図２】図１に示したリモコンの外観構成を示す外観図である。
【図３】図１に示した警報器の外観構成を示す外観図である。
【図４】リモコンの内部構成を示すブロック図である。
【図５】リモコンの表示部に表示される画面表示の構成例を示す図である。
【図６】警報器の内部構成を示すブロック図である。
【図７】警報器の処理用テーブルに記憶される情報の構成例を示す図である。
【図８】警報器の処理用テーブルに記憶される情報の構成例を示す図である。
【図９】警報器による検出処理および警報処理の流れを示すフローチャートである。
【図１０】他の警報器の処理用テーブルに記憶される情報の構成例を示す図である。
【図１１】他の警報器の処理用テーブルに記憶される情報の構成例を示す図である。
【図１２】他のリモコンの外観構成を示す外観図である。
【図１３】他の警報器の処理用テーブルに記憶される情報の構成例を示す図である。
【図１４】他の警報システムの概要および特徴を説明するための図である。
【図１５】他の警報器の外観構成を示す外観図である。
【符号の説明】
【０１２５】
１  電気配線
２  スイッチボックス
２ａ  照明スイッチ
３  シーリングローゼット
４  照明器具
１０  リモコン
１１  ボタン
１２  表示部
１３  送受信部
２０  警報器
２１  引掛栓
２２  引掛型コンセント
２３  火災検出部
２４  スピーカ
２５  表示灯
２６  リモコン送受信部
３０  制御部
３０ａ  状態監視部
３０ｂ  受信制御部
３０ｃ  送信制御部
３０ｄ  照明制御部
３０ｅ  検出処理部
３０ｆ  警報処理部
３１  記憶部
３２  表示出力部
３３  音声出力部
３４  電源入力部
３５  電源出力部
【図１】
0004634051.tif 000002
【図２】
0004634051.tif 000003
【図３】
0004634051.tif 000004
【図４】
0004634051.tif 000005
【図５】
0004634051.tif 000006
【図６】
0004634051.tif 000007
【図７】
0004634051.tif 000008
【図８】
0004634051.tif 000009
【図９】
0004634051.tif 000010
【図１０】
0004634051.tif 000011
【図１１】
0004634051.tif 000012
【図１２】
0004634051.tif 000013
【図１３】
0004634051.tif 000014
【図１４】
0004634051.tif 000015
【図１５】
0004634051.tif 000016